(57)【特許請求の範囲】
【請求項１】
グリップ部を有するハウジングに収容され、該ハウジングの先端に吸込ノズルを有する掃除機本体と、
前記吸込ノズルに着脱可能な延長管と、
前記延長管の先端に着脱可能であって、左右方向及び前後方向に揺動する床用ノズルと、を有する携帯用掃除機において、
前記床用ノズルを取りつけた前記延長管を、前記吸込ノズルから分離させた状態で前記掃除機本体に連結させ、
前記吸込ノズルは、前記掃除機本体を縦置きさせた際に先端部の微小領域で載置面に接触するように斜めにカットされ、
前記掃除機本体を自立させた際に、前記吸込ノズルの微小領域と前記床用ノズルが載置面に接触することにより前記掃除機本体を縦置き可能にしたことを特徴とする携帯用掃除機。
【請求項２】
前記床用ノズルは、前記延長管と接続される連通管とノズル部を含んで構成され、
前記連通管と前記ノズル部の傾動方向の角度が所定角以上になった際に、前記連通管と前記ノズル部の横方向の揺動を制限する回り止め手段を設けたことを特徴とする請求項１に記載の携帯用掃除機。
【請求項３】
前記回り止め手段は、前記連通管に設けられた凸部と、前記ノズル部に設けられた凹部であることを特徴とする請求項２に記載の携帯用掃除機。
【請求項４】
前記凸部は、前記連通管の軸方向と平行な方向に伸びるリブであって、前記連通管と一体に成型され、
前記凹部は、前記ノズル部の前後方向と平行な方向に伸びる切り欠きであって、前記ノズル部と一体に成型されることを特徴とする請求項３に記載の携帯用掃除機。
【請求項５】
前記回り止め手段は、前記連通管に設けられた凹部と、前記ノズル部に設けられた凸部であることを特徴とする請求項２に記載の携帯用掃除機。
【請求項６】
前記凹部は、前記連通管の軸方向と平行な方向に伸びる切り欠きであって、前記連通管と一体に成型され、
前記凸部は、前記ノズル部の前後方向と平行な方向に伸びるリブであって、前記ノズル部と一体に成型されることを特徴とする請求項５に記載の携帯用掃除機。
【請求項７】
前記掃除機本体に係止部が設けられ、
前記延長管を前記係止部に接続するためのフック手段が設けられ、
前記フック手段を前記係止部に係止させることにより前記延長管が前記掃除機本体の軸方向と略平行になるように前記延長管を前記掃除機本体に接続することを特徴とする請求項１から６のいずれか一項に記載の携帯用掃除機。
【請求項８】
モータと、
前記モータを収容するハウジングと、
前記ハウジングの先端に設けられる吸込ノズルと、
前記モータにより回転可能なファンと、
前記吸込ノズルに取付け可能であって、前記ハウジングに保持可能な床用ノズル部と、有し、
前記ファンによって、前記吸込ノズルから吸込み可能な携帯用掃除機であって、
前記吸込ノズルは、前記掃除機本体を縦置きさせた際に先端部の微小領域で載置面に接触するように斜めにカットされ、
前記掃除機本体を自立させた際に、前記吸込ノズルの微小領域と前記床用ノズルが載置面に接触することにより前記吸込ノズルと、前記床用ノズル部とを用いて前記掃除機本体を縦置き可能にしたことを特徴とする携帯用掃除機。
【請求項９】
縦置きした状態において、前記床用ノズル部の縦方向の長さは、前記ハウジングの長さよりも大きいことを特徴とする請求項８に記載の携帯用掃除機。
【発明の詳細な説明】
【技術分野】
【０００１】
本発明は携帯用掃除機に関し、特に、延長管と床用ノズルを用いて自立させることができる携帯用掃除機に関する。
【背景技術】
【０００２】
従来の携帯用掃除機は、ハウジング内部にモータと、モータにより回転する集塵ファンを内蔵し、ハウジングの前方には集塵ファンの回転により吸引した粉塵等を溜めるダスト室が配置される。ダスト室には粉塵等を吸引するための吸込口と、吸込口から吸引した粉塵等の逆流を防ぐ弁が設けられる。ハウジングの一部にはモータを起動、停止するためのスイッチが配置される。ダスト室内部には、吸引した粉塵等を濾過するための袋状の濾材等のフィルタ装置が着脱可能に配置される。
【０００３】
上記構造において、スイッチを入れてモータを起動すると、集塵ファンが回転し吸引力が発生する。作業者が集塵作業を開始すると、吸込口から吸引された粉塵等はフィルタ装置の濾材表面に付着してフィルタ装置内に滞留する。さらに集塵作業を継続すると、フィルタ装置全体が粉塵でいっぱいになって空気がフィルタ装置を通過しにくくなり、吸引力が低下する。その場合、作業者はハウジングからフィルタ装置を取り外し、内部に貯まった粉塵を廃棄する。携帯用掃除機の利点は、その大きさが小型であるため使用範囲が限られずに手軽に持ち運べることである。特に、バッテリを電源とするコードレスの携帯用掃除機は使い勝手がよい。この携帯用掃除機の収納時の為に、例えば特許文献１の技術では、壁等の吊り下げ具に吊るす目的でフックが取り付けられている。また、吊すことができない場合は、別売の収納ボックスなどを購入する必要があった。
【先行技術文献】
【特許文献】
【０００４】
【特許文献１】特開２０００−１９３号公報
【発明の概要】
【発明が解決しようとする課題】
【０００５】
上述した特許文献１では、壁等に吊り下げ具が無くて別売の収納ボックスも無い場合は、携帯用掃除機を横向きに置かねばならないので収納できる場所に制限があった。また、携帯用掃除機を無理に立てかけたりすると倒れやすいので収納しにくかった。
【課題を解決するための手段】
【０００６】
本発明は上記背景に鑑みてなされたもので、その目的は携帯用掃除機に接続可能な延長管及び床用ノズルを用いて自立させることができるようにした携帯用掃除機を提供することにある。
【０００７】
本発明の他の目的は、着脱可能な付属品を集約して自立させることで、かさばらずにすっきりと収納することができる携帯用掃除機を提供することにある。
【０００８】
本発明のさらに他の目的は、部品点数の増加やコスト上昇を抑え、簡単な構造で自立させることができる携帯用掃除機を提供することにある。
【０００９】
本願において開示される発明のうち代表的なものの特徴を説明すれば次の通りである。
【００１０】
本発明の一つの特徴によれば、グリップ部を有するハウジングに収容され、ハウジングの先端に吸込ノズルを有する掃除機本体と、吸込ノズルに着脱可能な延長管と、延長管の先端に着脱可能であって左右方向及び前後方向に揺動する床用ノズルを有する携帯用掃除機において、床用ノズルを取りつけた延長管を、吸込ノズルから分離させた状態で掃除機本体に連結させることにより、床用ノズルと吸込ノズルを用いて掃除機本体を縦置き可能に構成した。吸込ノズルは、掃除機本体を縦置きさせた際に先端部の微小領域で載置面に接触するように斜めにカットされ、掃除機本体を自立させた際に、吸込ノズルの微小領域と床用ノズルが載置面に接触する。
【００１１】
本発明の他の特徴によれば、床用ノズルは延長管と接続される連通管とノズル部を含んで構成され、連通管とノズル部の傾動方向の角度が所定角以上になった際に、連通管とノズル部の横方向の揺動を制限する回り止め手段を設けられる。回り止め手段は、連通管に設けられた凸部と、ノズル部に設けられた凹部で構成できる。凸部は連通管の軸方向と平行な方向に伸びるリブであって、連通管と一体に成型され、凹部はノズル部の前後方向と平行な方向に伸びる切り欠きであって、ノズル部と一体に成型される。この関係とは逆に、回り止め手段は、連通管に設けられた凹部と、ノズル部に設けられた凸部であり、凹部は連通管の軸方向と平行な方向に伸びる切り欠きであって、連通管と一体に成型され、凸部はノズル部の前後方向と平行な方向に伸びるリブであって、ノズル部と一体に成型しても良い。
【００１２】
本発明のさらに他の特徴によれば、掃除機本体に係止部が設けられ、延長管を係止部に接続するためのフック手段が設けられ、フック手段を係止部に係止させることにより延長管が掃除機本体の軸方向と略平行になるように延長管を掃除機本体に接続するようにした。フック手段は、延長管と一体に成型しても良いし別体部品を延長管に取り付けるようにしても良い。
【００１３】
本発明のさらに他の特徴によれば、モータと、モータを収容するハウジングと、ハウジングの先端に設けられる吸込ノズルと、モータにより回転可能なファンと、吸込ノズルに取付け可能であってハウジングに保持可能な床用ノズル部（床用ノズル単体、又は、床用ノズルと延長管を接続したもの）を有し、ファンによって、吸込ノズルから吸込み可能な携帯用掃除機であって、吸込ノズルと床用ノズル部を用いて縦置き可能とした。このように携帯用掃除機を縦置きした状態において、床用ノズル部の縦方向の長さはハウジングの長さよりも大きくなるように構成すると好ましい。
【００１４】
本発明のさらに他の特徴によれば、長手方向に延びるハウジングと、ハウジングの先端に設けられる吸込口と、ハウジングの長手方向の側方に取付け可能な延長管と、を有する携帯用掃除機であって、ハウジングの一部と、延長管とによって縦置き可能に構成した。
【発明の効果】
【００１５】
請求項１の発明によれば、床用ノズルを取りつけた延長管を、吸込ノズルから分離させた状態で掃除機本体に連結させることにより、床用ノズルと吸込ノズルを用いて掃除機本体を縦置き可能として自立させるようにしたので、狭い場所等にも容易に収納することができる。
【００１６】
また、吸込ノズルは、掃除機本体を縦置きさせた際に先端部の微小領域で載置面に接触するように斜めにカットされ、掃除機本体を自立させた際に、吸込ノズルの微小領域と床用ノズルが載置面に接触するので、吸い込みノズルの微小領域と、床用ノズルの所定幅を有する領域（線領域）で安定して掃除機本体の直立を保持することができる。
【００１７】
請求項２の発明によれば、床用ノズルは、延長管と接続される連通管とノズル部を含んで構成され、連通管とノズル部の傾動方向の角度が所定角以上になった際に、連通管とノズル部の横方向の揺動を制限する回り止め手段を設けたので、ノズル部が連通管に対して横方向に回転してしまうことによる掃除機本体の転倒を防止することができる。
【００１８】
請求項３の発明によれば、回り止め手段は連通管に設けられた凸部とノズル部に設けられた凹部であるので、掃除機本体の使用上の支障はなく、なお且つ収納時には瞬時に自立させることができる。また、収納時の動作を最小限に抑えることができるので操作性が良い。
【００１９】
請求項４の発明によれば、凸部は連通管の軸方向と平行な方向に伸びるリブであって、連通管と一体に成型され、凹部はノズル部の前後方向と平行な方向に伸びる切り欠きであって、ノズル部と一体に成型されるので、部品点数を増やすことなく容易に掃除機本体の自立機構を実現できる。
【００２０】
請求項５の発明によれば、回り止め手段は連通管に設けられた凹部とノズル部に設けられた凸部であるので、掃除機本体の使用上の支障はなく、なお且つ収納時には瞬時に自立させることができる。また、収納時に必要な操作を最小限に抑えることができるので操作性が良い。
【００２１】
請求項６の発明によれば、凹部は連通管の軸方向と平行な方向に伸びる切り欠きであって連通管と一体に成型され、凸部はノズル部の前後方向と平行な方向に伸びるリブであってノズル部と一体に成型されるので、部品点数を増やすことなく容易に掃除機本体の自立機構を実現できる。
【００２２】
請求項７の発明によれば、フック手段を掃除機本体の係止部に係止させることにより延長管が掃除機本体の軸方向と略平行になるように延長管を掃除機本体に接続するので、延長管とノズル部を掃除機本体に連結させて収容することができるので、かさばらずに使い勝手がよい携帯用掃除機を実現できる。また、別の部材を用いることなく掃除機本体の自立機構を実現できるので、製造上のコストメリットが大きい。
【００２３】
請求項８の発明によれば、携帯用掃除機において吸込ノズルと、床用ノズル部とを用いて縦置き可能としたので、携帯用掃除機を狭い場所等にも容易に収納することができる。
【００２４】
請求項９の発明によれば、縦置きした状態において床用ノズル部の縦方向の長さはハウジングの長さよりも大きいので、床用ノズル部の上部を作業者が把持することによって、床用ノズル部と掃除機本体を一緒に持ち上げることができる。このため、作業者が無理に掃除機本体のグリップ部を把持しなくても良いので、使いやすい携帯用掃除機とすることができる。
【００２６】
本発明の上記及び他の目的ならびに新規な特徴は、以下の明細書の記載及び図面から明らかになるであろう。
【図面の簡単な説明】
【００２７】
【図１】本発明の実施例に係る携帯用掃除機の側面図であり、掃除機本体１を延長管２０と床用ノズル３０を用いて自立させた状態を示す。
【図２】本発明の実施例に係る掃除機本体１の全体を示す断面図である。
【図３】本発明の実施例に係る掃除機本体１の底面図である。
【図４】図１の延長管２０と床用ノズル３０の接続状態での側面図である。
【図５】図１の延長管２０と床用ノズル３０の接続状態での底面図である。
【図６】図１の床用ノズル３０の断面図である。
【図７】図１の床用ノズル３０の傾動状況を示す側面図である。
【図８】図１の床用ノズル３０の外観を示す斜視図であり斜め上から見た図である。
【図９】図１の床用ノズル３０の外観を示す斜視図であり斜め下から見た図である。
【図１０】第２の実施例に係る床用ノズル５０の外観を示す斜視図である。
【発明を実施するための形態】
【実施例１】
【００２８】
本発明の実施例について図面を用いて説明する。尚、本明細書において、掃除機本体１の上下及び前後左右の方向は図２及び図３中の矢印で示す方向を指すものとして説明する。
【００２９】
図１は本発明の実施例に係る携帯用掃除機の側面図であり、本実施例では図１の状態のように自立させた状態を「縦置き」の状態であるとする。携帯用掃除機は、掃除機本体１と延長管２０と床用ノズル３０により構成される。図１は延長管２０と床用ノズル３０を用いて掃除機本体１を床面４９に自立させた状態を示し、一部を断面図で表示している。掃除機本体１は、作業者が片手で持ちながら集塵作業を行う、いわゆる携帯型の掃除機であり、ハウジング２には、グリップ部２ｃが形成される。グリップ部２ｃは略円環状のくり貫き部分を有する側面視でＤ型の形状である。ここで、図２を用いて掃除機本体１の詳細構造を説明する。
【００３０】
図２は本発明の実施例に係る掃除機本体１の断面図である。掃除機本体１は、モータ４と、モータ４に電力を供給するバッテリ１３と、モータ４を収容すると共に集塵したダストを収容するダスト室７を形成するためのハウジング２と、ダスト室７から集塵したダストを排出するための開口部を覆うフロントカバー３と、ハウジング２の前方から突出する吸込ノズル６により主に構成される。モータ４は、例えば直流モータであり、ハウジング２の後方下部に取り付けられた複数のバッテリ１３を電源とする。モータ４の回転は、ハウジング２のグリップ部２ｃの上部に設けられたスイッチ１２によりＯＮ／ＯＦＦされる。スイッチ１２は、２段階に切り替えできるように構成し、モータ４の回転が速くて吸い込み力が大きい「ＨＩＧＨ（強）」モードと、モータ４の回転が低くて吸い込み力が小さい「ＬＯＷ（弱）」モードのいずれかで運転させることができる。
【００３１】
バッテリ１３は、例えばニカド電池やリチウムイオン電池などの充電可能な二次電池を用いることができ、本実施例の掃除機本体１には、バッテリ１３を充電するための図示しない充電器の出力プラグを接続するためのコネクタ部１３ａが設けられる。バッテリ１３の充電は、スイッチ１２がＯＦＦの時に充電することができ、充電中にはＬＥＤランプ１３ｂが点灯する。
【００３２】
ハウジング２の前方側の内部には、モータ４の回転軸に固定される集塵ファン５の回転により吸引した粉塵等を溜めるためのダスト室７が形成される。ダスト室７の上部には開口部が設けられ、開口部は着脱可能なフロントカバー３により閉鎖できる。フロントカバー３には着脱のためのプッシュレバー３ａが設けられる。尚、ダスト室７全体をハウジング２とは別体式のケースで着脱可能に形成しても良く、吸込ノズル６の接続されたダスト室部分をねじ込み構造にして、ハウジング２に対して相対的に回転させて取り付けるように構成しても良い。
【００３３】
ダスト室７の前方側には、粉塵等を吸引するための吸込ノズル６が形成される。吸込ノズル６は、床用ノズル３０、延長管２０、又はスキマノズル２７のいずれかを接続するための管状の部材である。吸込ノズル６は、床用ノズル３０、延長管２０、又はスキマノズル２７を接続しない状態でも利用できるように先端側の開口部６ａが斜めに切り欠いたように形成される。吸込ノズル６の後端側の開口部６ｂには、ダストバッグ８を保持するダストストッパー１０が設けられる。ダストストッパー１０の開口部６ｂと対向する位置には、外部から吸引した粉塵等の逆流を防ぐための弁１１が設けられる。ダスト室７の内部にはダストバッグ８が配置され、吸込ノズル６から吸引された塵埃混じりの空気を濾過して、塵埃だけを収集する。ダストバッグ８は、筒状又は直方体状の濾材から形成され、洗浄することで繰り返し使用できる部材で構成する。但し、ダストバッグ８の代わりに使い捨ての紙パックを装着するように構成しても良い。
【００３４】
ダストバッグ８の後方であって、ダスト室７の後方壁にはフィルタ９が設けられる。フィルタ９は、例えばスポンジ等の着脱可能な部材で形成される。フィルタ９を通過した空気は、集塵ファン５の空気取入口１９を介して吸引される。集塵ファン５としては、前方中央部から空気を吸引して、外周側に排出する遠心ファンを用いることができる。集塵ファン５によって吸い込まれた空気を、ハウジング２の内部空間から外部に排出するために、ハウジング２の側部には排出口１８（図１参照）が形成される。
【００３５】
スイッチ１２を操作しモータ４を起動させることで集塵ファン５が回転し、ダスト室７内に吸引力が発生することにより、粉塵等を含んだ空気がダスト室７の吸込ノズル６から吸引される。ダスト室７内に吸引された粉塵等を含んだ空気はダストバッグ８で濾過される。この濾過の際、粉塵等はダストバッグ８の内壁面に付着した状態でダストバッグ８内に滞留する。濾過された空気のみがダストバッグ８を通り抜けて集塵ファン５側に流れ、ハウジング２に設けられた排出口１８から外部へ排出される。
【００３６】
本実施例では、掃除機本体１を自立させるために、係止部１６が設けられる。係止部１６は略正方形の開口部１６ａから所定の内部空間を確保した場所であり、後述するノズルホルダ２５のフック２５ｃを掛けることにより延長管２０を固定させる部分である。係止部１６には、フック２５ｃの形状と対応する係止壁１６ｂと、フック２５ｃの先端部を案内すると共にがたつかないように保持する押さえ壁１６ｃが設けられる。さらに、ハウジング２の後方下部には、壁の吊り下げ具等に吊り下げることができるように可動式のフック１５が設けられる。
【００３７】
再び図１に戻る。本実施例では、延長管２０と床用ノズル３０を用いて掃除機本体１を自立させるために、吸込ノズル６の先端（略点接触）と床用ノズル３０の前端縁（おおよそ線接触）にて床面４９と接触するように構成した。自立の際には、掃除機本体１は長手方向中心線４５（モータの回転軸の延長線）が、床面４９から垂直に引いた鉛直線４６に対して角度θ１だけ延長管２０側に傾くことになる。このように掃除機本体１を傾けることにより掃除機本体１の自重の分力が矢印Ａの方向に延長管２０に作用することになる。この分力は、延長管２０と掃除機本体１を接続するためのノズルホルダ２５を介して延長管２０に伝達される。延長管２０は床用ノズル３０と接続された状態であり、延長管２０の長手方向中心線４７が床面４８から垂直に引いた鉛直線４８に対して角度θ２だけ傾き、掃除機本体１から受けた分力を矢印Ｂに示すように床用ノズル３０の前端縁で受けるようにした。この際、θ１＜θ２の関係となるように構成すると最も安定して保持できるが、必ずしもこの関係にこだわらず、θ１＝θ２又はθ１＞θ２の関係としても良い。床用ノズル３０の前端縁は点接触でなく、床用ノズル３０の幅とほぼ同一の線領域で接触させるように構成する。このように構成することによって掃除機本体１の自重の分力によって延長管２０及び掃除機本体１が転倒するのを防止でき、掃除機本体１の自立を安定して保持することができる。
【００３８】
また、図１の状態において、延長管２０の鉛直方向の長さ（高さ）と掃除機本体１の鉛直方向の長さ（高さ）を比較すると延長管２０の長さが大きい。このため、延長管２０の上部を作業者が把持することによって、延長管２０と掃除機本体１を一緒に持ち上げることができる。このため、作業者が無理に掃除機本体１のグリップ部２ｃを把持しなくても移動させることができるので使いやすい携帯用掃除機が実現できる。さらに、図１のように縦置きされた状態では、グリップ部２ｃが上方に配置されるので、作業者が立った状態でも容易に掃除機本体１を持ち上げることができるので、掃除機本体１を容易に持ち運びできるようになる。
【００３９】
図３は、本発明の実施例に係る掃除機本体１の底面図である。ハウジング２は、前後方向（モータ回転軸の軸腺方向）に延びる鉛直面で左右に分割される２つの部材（右側ハウジング２ａと左側ハウジング２ｂ）で形成され、図示しないネジをネジ穴１７ｂから締め付けることによって右側ハウジング２ａと左側ハウジング２ｂが固定される。ハウジング２の後方には、内蔵式のバッテリ１３を交換する際に開閉する電池キャップ１４が設けられる。右側ハウジング２ａと左側ハウジング２ｂは、電池キャップ１４付近から吸込ノズル６付近まで延び、プラスチック等の合成樹脂の一体成形によって形成される。係止部１６は右側ハウジング２ａと左側ハウジング２ｂの接合面にくるように配置されるので、右側ハウジング２ａと左側ハウジング２ｂの内壁によって容易に画定することができる。フック１５は、略Ｕ字状の金属製の部材であり、掃除機本体１を吊り下げる際には図示の状態から後方に回動させて引き出すことができる。
【００４０】
図４は図１の延長管２０と床用ノズル３０の接続状態での側面図である。延長管２０は円筒形の細長いパイプであり、開口部２０ａから拡径部２０ｂに至ってほんの僅かながら外形が太くなる。また、先端側の開口部２０ｃ付近は、床用ノズル３０やスキマノズル２７を連結するために内径が太く形成された拡径部２０ｂが形成される。ここで、開口部２０ａ付近の外形と、連通管３１の取付部３１ｂの外形と、スキマノズル２７の開口部２７ｂ付近の外形（又は外径）は同じであり、吸込ノズル６の内形（又は内径）とほぼ同等である。これらはひねりながら差し込んで保持させるために、開口部に向かって外径がやや小さくなるように先細り状に形成される。従って、吸込ノズル６には、延長管２０、床用ノズル３０の連通管３１、又は、スキマノズル２７のいずれかを択一的に連結することができる。これらのどれを接続するかは、使用者が掃除する対象に応じて適切なものを選択すれば良い。
【００４１】
ノズルホルダ２５は、延長管２０に側部にスキマノズル２７を保持させるための部材であり、延長管２０の開口部２０ａから挿入するための第１円筒部２５ａと、スキマノズル２７を差し込むための第２筒部２５ｂが形成される。さらに、図１に示すような自立をさせるためのフック２５ｃをノズルホルダ２５に形成する。ノズルホルダ２５は軽量で十分な強度を確保するために、合成樹脂の一体成形で製造すると好ましい。ノズルホルダ２５に取り付け可能なスキマノズル２７は、ソファの隙間部やサッシの溝などを掃除する際に用いられるもので、吸込ノズル６に直接取り付けるか、または、延長管２０を介して取り付けることができる。
【００４２】
床用ノズル３０は、連通管３１と、その先端に横に延びるノズル部３２により構成される。ノズル部３２は、上ケース３３と、下面に吸い込み口を有する下ケース３４からなり、外周に、掃除の際に家具などへの傷付を防止するためのバンパー４１が設けられる。床用ノズル３０の後部には、延長管２０に接続される連通管３１が傾動自在に取り付けられる。ノズル部３２の床面４９と接する部分には、前側に２個のローラ３５、後側に２個のローラ３６が設けられる。中央部には横方向に延びて粉塵を吸引口に導くためのゴム片３７が設けられる。
【００４３】
図５は、図１の延長管２０と床用ノズル３０の接続状態での底面図である。床用ノズル３０は、底面から見てＴ字状の形状であり、吸込口３８の左右には横長の吸込路３９が形成される。延長管２０の中央付近には、スキマノズル２７を取り付けるためのノズルホルダ２５が取り付けられる。本図ではノズルホルダ２５からスキマノズル２７を取り外した状態を示している。ノズルホルダ２５は延長管２０に着脱可能であり、スキマノズル２７を延長管２０に取り付けておく必要がない場合はノズルホルダ２５を取り外しておいても良い。床用ノズル３０の底面には、床等との滑りを良くするために前端側の両側にローラ３５が設けられ、後方側であって連通管３１の接続部分付近に２つのローラ３６が設けられる。
【００４４】
図６は床用ノズル３０の断面図であり、図５のＡ−Ａ部の断面を示す。連通管３１は、片側に開口部３１ａを有し、開口部３１ａ付近には吸込ノズル６の内側に嵌挿、あるいは、延長管２０の拡径部２０ｂの内側に嵌挿するための取付部３１ｂが形成される。連通管３１は直線状に形成された部分から屈曲部３１ｃにて所定の角度θ３だけ曲げて形成され、屈曲部３１ｃよりも先端側には外形が略球状に形成された球状部３１ｄが形成される。球状部３１ｄは、上ケース３３と下ケース３４の内壁に形成された球面部３３ａ、３４ａにより挟まれることにより、ノズル部３２は、連通管３１に対して傾動又は回動可能なように接続される。
【００４５】
図７は、図１の床用ノズル３０のノズル部の可動状況を示す側面図である。本図では掃除機本体１に延長管２０と床用ノズル３０を接続して、床等を掃除する際に最も稼働させる方向、即ち掃除機本体１を床面と垂直な面内で床面との角度を傾斜させる方向（傾動方向）の移動範囲を示す図である。ノズル部３２は、水平位置から最傾位置まで約６０度傾けることができる。本実施例では、この傾き角が約６０度近くになった場合に、ノズル部３２が連通管３１に対して傾動方向と略垂直方向に移動（又は回動）できないように固定される。このノズル部３２の傾動方向と略垂直方向に移動（又は回動）を制限するのが連通管３１に一体的に形成された凸状の突起部３１ｅであり、この突起部３１ｅがノズル部３２に形成された後述する切欠部と嵌合する。
【００４６】
図８は、図１の床用ノズル３０の外観を示す斜視図であり斜め上方から見た図である。本図から理解できるように、連通管３１の屈曲部３１ｃの円周方向の１箇所には凸部となる突起部３１ｅが形成され、ノズル部３２の上ケース３３には凹部となる切欠部３３ｂが形成される。このようにノズル部３２が最大角で傾動している時には、床用ノズル３０の前後方向に延びる中心軸を中心に回動できないようにノズル部３２が連通管３１に対して保持される。この保持状態は、図１で示す自立時には延長管２０が床用ノズル３０に対して方向Ａに分力が作用するので、ノズル部３２が最傾位置にとどまるように力が作用する。この結果、図１に示すように掃除機本体１を延長管２０と床用ノズル３０を用いて自立させた状態において、ノズル部３２が左右に回動してしまうことを防ぐことができるので安定して自立させることができる。
【００４７】
図９は、図１の床用ノズル３０の外観を示す斜視図であり、下から見た図である。連通管３１の球状部３１ｄは、表面を連続した球面とする必要はなく、接触面積を減らして摺動あるいは滑りを良くするために図のようなスリット状に形成しても良い。
【００４８】
以上説明したように、本実施例によればハウジング２の吸込ノズル６に延長管２０を介して床用ノズル３０を装着可能な携帯用掃除機において、取り外した延長管２０と床用ノズル３０を利用して掃除機本体１が自立可能となるように構成したので、場所を選ばずに安定して自立させて収納できる。また、自立させることで、かさばらずにすっきりと収納できる。さらに、本実施例の構成は、部品点数を増やさないですむので、製造コストの上昇を最小に抑えることが可能となる。
【実施例２】
【００４９】
次に図１０を用いて本発明の第２の実施例を説明する。図１０は、第２の実施例に係る床用ノズル５０の外観を示す斜視図である。図１０において第１の実施例と異なる点は、ノズル部５２の連通管５１に対する移動（又は回動）を制限する回り止め手段の凹凸部の形状及び配置である。図１０では連通管５１側に凹部５１ｅが形成され、ノズル部５２の上カバー５３に凸部５３ｂが形成されるように構成した。これらの凹部５１ｅ及び凸部５３ｂは、ともにプラスチック等の合成樹脂により一体成形で製造できるので、強度的に優れているだけでなく見た目が美しく、比較的安価に製造できる。以上、第２の実施例によれば第１の実施例と同様の効果を得ることができる。
【００５０】
以上、本発明を示す実施例に基づき説明したが、本発明は上述の実施例に限定されるものではなく、その趣旨を逸脱しない範囲内で種々の変更が可能である。例えば、連通管と床用ノズルに形成される凹凸部は、第１及び第２の実施例で説明した形状に限られず、図１のように掃除機本体を成立させた際に、連通管に対して床用ノズルが回転せずに固定されるように構成すれば他の任意の形状、手段で実現しても良い。また、連通管と床用ノズルは着脱可能な別体式でなく、着脱不能な一体式（床用ノズルの連通管と延長管を一体で構成）としても良い。また、連通管とノズル部に凹凸だけで構成するのではなく、何らかの回り止め手段や固定手段を形成しても良い。
【符号の説明】
【００５１】
１  掃除機本体      ２  ハウジング      ２ａ  右側ハウジング
２ｂ  左側ハウジング      ２ｃ  グリップ部      ３  フロントカバー
３ａ  プッシュレバー      ４  モータ      ５  集塵ファン
６  吸込ノズル      ６ａ、６ｂ  開口部      ７  ダスト室
８  ダストバッグ      ９  フィルタ      １０  ダストストッパー
１１  弁      １２  スイッチ      １３  バッテリ      １３ａ  コネクタ部
１３ｂ  ＬＥＤランプ      １４  電池キャップ      １５  フック
１６  係止部      １６ａ  開口部      １６ｂ  係止壁      １６ｃ  壁
１７ｂ  ネジ穴      １８  排出口      １９  空気取入口
２０  延長管      ２０ａ  開口部      ２０ｂ  拡径部      ２０ｃ  開口部
２５  ノズルホルダ      ２５ａ  円筒部      ２５ｂ  筒部
２５ｃ  フック      ２７  スキマノズル      ２７ｂ  開口部
３０  床用ノズル      ３１  連通管      ３１ａ  開口部      ３１ｂ  取付部
３１ｃ  屈曲部      ３１ｄ  球状部      ３１ｅ  突起部
３２  ノズル部      ３３  上ケース      ３３ａ  球面部      ３３ｂ  切欠部
３４  下ケース      ３４ａ  球面部      ３５、３６  ローラ
３７  ゴム片      ３８  吸込口      ３９  吸込路      ４１  バンパー
４５  （掃除機本体１の）長手方向中心線      ４６、４８  鉛直線
４７  （延長管２０の）長手方向中心線      ４９  床面
５０  床用ノズル      ５１  連通管      ５１ｅ  凹部
５２  ノズル部      ５３  上カバー      ５３ａ  凸部
【図１】
0005382620.tif 000002
【図２】
0005382620.tif 000003
【図３】
0005382620.tif 000004
【図４】
0005382620.tif 000005
【図５】
0005382620.tif 000006
【図６】
0005382620.tif 000007
【図７】
0005382620.tif 000008
【図８】
0005382620.tif 000009
【図９】
0005382620.tif 000010
【図１０】
0005382620.tif 000011